(57)【要約】【課題】効率よく編集することができるようにしたイメージデータ編集システムを提供すること。【解決手段】イメージデータ編集システム１は、紙書類６から生成されたラスタデータＤ１を取得するラスタデータ取得部１１と、ラスタデータＤ１を有するラスタデータ層に重ねられる第１ベクトルデータ層において、ラスタデータＤ１についての修正対象領域を指定する第１データＤ２１と、ラスタデータ層および第１ベクトルデータ層に重ねられる第２ベクトルデータ層において、修正対象領域に描画される第２データＤ３１とを編集する編集処理部１２と、ラスタデータＤ１と第１データＤ２１と第２データＤ３１とを重ねて合成することにより、合成イメージデータＤ４を生成する合成イメージ管理部１３と、を備える。【選択図】図１
2020016999.tif 000002
【特許請求の範囲】
【請求項１】
イメージデータを編集するイメージデータ編集システムであって、
紙書類から生成されたラスタデータを取得するラスタデータ取得部と、
前記ラスタデータを有するラスタデータ層に重ねられる第１ベクトルデータ層において、前記ラスタデータについての修正対象領域を指定する第１データと、前記ラスタデータ層および前記第１ベクトルデータ層に重ねられる第２ベクトルデータ層において、前記修正対象領域に描画される第２データとを編集する編集処理部と、
前記ラスタデータと前記第１データと前記第２データとを重ねて合成することにより、合成イメージデータを生成する合成イメージ管理部と、
を備えるイメージデータ編集システム。
【請求項２】
前記合成イメージ管理部は、前記合成イメージデータをユーザインターフェース装置へ出力させる、
請求項１に記載のイメージデータ編集システム。
【請求項３】
さらに、前記ラスタデータを記憶するラスタデータ管理部と、前記第１データを記憶する第１データ管理部と、前記第２データを記憶する第２データ管理部とを備える、
請求項２に記載のイメージデータ編集システム。
【請求項４】
さらに、外部システムからの要求に応じて、少なくとも前記第２データを前記外部システムへ送信する連携部を備える、
請求項３に記載のイメージデータ編集システム。
【請求項５】
さらに、前記合成イメージ管理部により生成された前記合成イメージデータを所定の端末に送信し、前記所定の端末から承認を示す情報が入力された場合に、前記合成イメージデータを前記ユーザインターフェース装置へ出力させる確認部を備える、
請求項２に記載のイメージデータ編集システム。
【請求項６】
前記編集処理部は、コンピュータ支援設計システムにより実現される機能である、
請求項１に記載のイメージデータ編集システム。
【請求項７】
計算機を用いてイメージデータを編集するイメージデータ編集システムであって、
前記計算機は、
紙書類から生成されたラスタデータを取得し、
前記ラスタデータを有するラスタデータ層に重ねられる第１ベクトルデータ層において、前記ラスタデータについての修正対象領域を指定する第１データを作成し、
前記ラスタデータ層および前記第１ベクトルデータ層に重ねられる第２ベクトルデータ層において、前記修正対象領域に描画される第２データを編集し、
前記ラスタデータと前記第１データと前記第２データとを重ねて合成することにより、合成イメージデータを生成し、
前記合成イメージデータを出力させる、
イメージデータ編集方法。
【発明の詳細な説明】
【技術分野】
【０００１】
本発明は、イメージデータ編集システムおよび方法に関する。
【背景技術】
【０００２】
例えば、発電プラント、化学プラント等で設備を更新する場合、古い図面を参照して、新規設備のための新しい図面を作成することがある。しかしながら、急速にコンピュータ化社会が進展したため、古い図面のほとんどが紙書類として作成されているのに対し、近年の図面の多くは、ＣＡＤ（Computer-Aided Design）システムを用いて電子的に作成されている。
【０００３】
そのため、古い図面を再利用して新たな図面を作成するために、紙書類として作成された図面を電子化し、ＣＡＤシステム等のような計算機上で利用することが考えられる（特許文献１，２）。
【０００４】
特許文献１では、イメージスキャナで読み取り入力されたイメージデータに重ねて、キー入力により発生される文書データを表示し、イメージデータ及び文書データをそれぞれ独立して移動表示することにより、手書き文字と入力文書データとを同一視点で追いながら、編集及びイメージデータとラスタデータを独立して移動表示できる。
【０００５】
特許文献２には、画像情報を読み取って表示した表示画面上に文字、数値、記号などを入力するための領域を設定し、その領域に文字や数値などを入力して編集する文書編集装置が開示されている。
【先行技術文献】
【特許文献】
【０００６】
【特許文献１】特開平７−１４１３４４号公報
【特許文献２】特開平１１−０１５９８８号公報
【発明の概要】
【発明が解決しようとする課題】
【０００７】
従来技術は、スキャナ等で取り込まれたイメージデータ（ラスタデータ）の一部をベクトルデータで置き換える多層構成となっていないため、紙の図面を電子化して再利用するのは手間がかかり、信頼性および使い勝手が低い。
【０００８】
例えば、スキャナを用いて、紙の図面の全体をラスタデータに変換することはできるが、ラスタデータでは編集の作業性が低いため、複雑な図面を作成するのは難しく、使い勝手が悪い。
【０００９】
ラスタデータをベクトルデータに変換することができれば、ＣＡＤシステムで編集することも可能となる。しかし、元の図面の汚れ具合やスキャナの解像度、認識ソフトウェアの性能等により、ラスタデータをベクトルデータに変換する際に、一部に誤変換を生じる可能性がある。
【００１０】
したがって、ユーザは、ベクトルデータ化されたデータが正しいデータであるか確認する必要があり、手間がかかる。さらに、ラスタデータの全体が使いやすい形態でベクトルデータに変換される可能性は低いため、ＣＡＤシステムは、中途半端に変換されたベクトルデータを使用することになり、ユーザによる編集作業の効率が低下する。
【００１１】
本発明は、上記問題に鑑みてなされたもので、その目的は、効率よく編集することができるようにしたイメージデータ編集システムおよび方法を提供することにある。
【課題を解決するための手段】
【００１２】
上記課題を解決すべく、本発明に従うイメージデータ編集システムは、紙書類から生成されたラスタデータを取得するラスタデータ取得部と、ラスタデータを有するラスタデータ層に重ねられる第１ベクトルデータ層において、前記ラスタデータについての修正対象領域を指定する第１データと、ラスタデータ層および第１ベクトルデータ層に重ねられる第２ベクトルデータ層において、修正対象領域に描画される第２データとを編集する編集処理部と、ラスタデータと第１データと第２データとを重ねて合成することにより、合成イメージデータを生成する合成イメージ管理部と、を備える。
【発明の効果】
【００１３】
本発明によれば、ラスタデータに重ねられる第１ベクトルデータ層と第２ベクトルデータ層とにより、ラスタデータの修正対象領域について修正された合成イメージデータを得ることができる。
【図面の簡単な説明】
【００１４】
【図１】イメージデータ編集システムの全体構成を示す説明図である。
【図２】イメージデータ編集システムのハードウェア構成図である。
【図３】ラスタデータ層と各ベクトルデータ層との関係を示す説明図である。
【図４】イメージデータ編集処理を示すフローチャートである。
【図５】他システムとの連携処理を示すフローチャートである。
【図６】第２実施例に係るイメージデータ編集システムの全体構成図である。
【図７】イメージデータ編集処理を示すフローチャートである。
【図８】第３実施例に係るイメージデータ編集処理のフローチャートである。
【発明を実施するための形態】
【００１５】
以下、図面に基づいて、本発明の実施の形態を説明する。本実施形態に係るイメージデータ編集システムは、以下に詳細に説明する通り、例えば、プラント制御分野等における紙の書類（図書、図面を含む）を効率的に電子的に修正する。
【００１６】
本実施形態に係るイメージデータ編集システムは、スキャンされて電子化された紙の書類を電子データとして編集する装置であり、ラスタデータをベクトルデータ（ベクタデータとも呼ぶ）に変換せずに、ラスタデータ層とは別のベクトルデータ層上で修正対象領域に対応するベクトルデータを入力して編集する。本実施形態のイメージデータ編集システムは、ラスタデータ層と、修正対象領域を含む第１ベクトルデータ層と、編集対象として描画される第２ベクトルデータ層とを重ねて合成することにより、合成イメージデータを生成する。
【００１７】
本実施形態のイメージデータ編集システムでは、修正対象データであるラスタデータのうち、指定された修正対象領域についてのみ、ベクトルデータとして編集作業することができる。これにより、本実施形態によれば、ラスタデータの全体をベクトルデータに変換する必要がなく、必要な箇所だけをベクトルデータで作成して置き換えるため、効率的に設計図等の紙書類に記載された知的資産を有効に活用することができる。
【００１８】
制御プラント等の社会基盤系の制御システムは、その更新の周期が数十年程度と長いため、コンピュータ社会の実現前に作成された図面が多い。しかし、これらの紙図面を電子化して計算機上で再利用するためには、紙の書類のラスタデータ化だけでは足りない。図面は細かに表現する必要があるため、ドット単位で編集操作するのでは、図面に求められる品質を得ることが難しい。
【００１９】
そこで、本実施形態では、紙図面のラスタデータをベクトルデータに変換して、ＣＡＤシステムでの利用を図るが、ラスタデータの全体をベクトルデータへ変換するのでは、変換後の精査に手間がかかる。制御プラント等で使用する図面には、正確性および緻密性が要求されるためである。
【００２０】
したがって、本実施形態のイメージデータ編集システムは、ラスタデータの全体ではなく、修正対象領域についてのみベクトルデータで編集し、最後にラスタデータとベクトルデータとを重ね合わせて、ラスタデータである合成イメージデータを生成する。編集対象として描画される第２データは、ベクトルデータとして保存可能であるため、他の制御プラント等の図面作成にも使用可能となる。
【実施例１】
【００２１】
図１〜図５を用いて第１実施例を説明する。図１は、イメージデータ編集システム１の全体構成を示す。イメージデータ編集システム１は、図２で後述するように、一つまたは複数の計算機を用いて構成することができる。
【００２２】
イメージデータ編集システム１は、ＣＡＤシステム２とスキャナシステム３とに接続されている。さらに、イメージデータ編集システム１は、ディスプレイ４Ａおよびプリンタ４Ｂと、他システム５にも接続されている。
【００２３】
スキャナシステム３は、紙書類としての紙図面６をスキャンすることにより、ラスタデータを生成する。スキャナシステム３としては、例えば、スキャナ装置、スキャナだけでなくプリンタおよびファクシミリの機能も有する複合機、デジタルカメラ等を用いることができる。
【００２４】
ディスプレイ４Ａおよびプリンタ４Ｂは、ユーザインターフェース装置の例である。他システム５は、例えば、文書作成装置等である。他システム５としては、例えば、パーソナルコンピュータ上で稼働する文書作成ソフトウェア等を挙げることができる。
【００２５】
イメージデータ編集システム１の機能構成を説明する。イメージデータ編集システム１は、例えば、ラスタデータ取得部１１と、編集処理部１２と、合成イメージ管理部１３と、連携部１４と、ラスタデータ管理部１５と、第１ベクトルデータ管理部１６と、第２ベクトルデータ管理部１７とを備える。
【００２６】
ラスタデータ取得部１１は、対話でラスタデータのシートを一枚ずつ呼び出すことと、ラスタデータのシート数分の一括取り込みも可能となっている。ラスタデータ取得部１１は、スキャナシステム３により紙図面から生成されたラスタデータＤ１を取得する機能である。ラスタデータ取得部１１の取得したラスタデータＤ１は、データベースとして構成されるラスタデータ管理部１５に記憶されて管理される。
【００２７】
編集処理部１２は、ラスタデータＤ１の層に重ねられるベクトルデータＤ２，Ｄ３の層において、ラスタデータＤ１のうちの修正対象領域についてベクトルデータＤ３１を作成する機能である。すなわち、編集処理部１２は、ラスタデータＤ１の層に重ねられる第１ベクトルデータＤ２の層において、ラスタデータＤ１についての修正対象領域を指定する第１データＤ２１と、ラスタデータＤ１の層および第１ベクトルデータＤ２の層に重ねられる第２ベクトルデータＤ３の層において、修正対象領域に描画される第２データＤ３１とを編集する。
【００２８】
編集処理部１２は、ＣＡＤシステム２の機能を用いて実現することができる。編集処理部１２は、例えば、ＣＡＤシステム２のコメント入力機能を用いることにより、修正対象領域を設定することができる。そして、編集処理部１２は、ＣＡＤシステム２の作図機能により第２データＤ３１を作成する。
【００２９】
本実施例では、ＣＡＤシステム２を、イメージデータ編集システム１の編集処理部１２として用いるため、ユーザは使い慣れたＣＡＤシステム２を用いて、ラスタデータを別の層で編集することができ、使い勝手が向上する。さらに、新たに作成された第２データＤ３１は、ＣＡＤシステム２で再利用可能な部品データとなるため、他の図面や他システムにも利用することができ、設計業務の効率を改善することができる。
【００３０】
合成イメージ管理部１３は、ラスタデータＤ１と第１データＤ２と第２データＤ３１とを重ねて合成することにより、合成イメージデータを作成する機能である。合成イメージデータは、ラスタデータとして生成される。
【００３１】
図１の例では、ラスタデータＤ１は、３つの図形要素Ｄ１１，Ｄ１２，Ｄ１３を含んでいる。ユーザは、それら図形要素Ｄ１１〜Ｄ１３のうち図形要素Ｄ１１の修正を希望する場合、編集処理部１２を用いることにより、修正対象の図形要素Ｄ１１を消去するかのように、修正対象領域（第１データＤ２１）を設定する。修正対象領域を定義する第１データＤ２１は、第１ベクトルデータ管理部１６に記憶されて管理される。
【００３２】
さらに、ユーザは、修正対象領域に対して、図形要素Ｄ１１に置き換わるべき新たな図形要素（第２データＤ３１）を入力する。この新たな図形要素のベクトルデータＤ３１は、第２ベクトルデータ管理部１７に記憶されて管理される。第２データＤ３は、ラスタデータＤ１の一部を、ラスタデータ層とは別のベクトルデータ層で編集するためのデータであるから、編集対象データＤ３と呼ぶこともできる。尚、先に図形要素（第２データＤ３１）をラスタデータ上でなぞって編集した場合は、修正対象領域（第１データＤ２１）を自動で設定することもできる。
【００３３】
合成イメージ管理部１３は、各データ管理部１５，１６，１７に記憶されたラスタデータＤ１，第１データＤ２，第３データＤ３を重ね合わせることにより、ラスタイメージとしての合成イメージデータＤ４を作成する。図１に示すように、合成イメージデータＤ４は、ラスタデータＤ１の図形要素Ｄ１２，Ｄ１３に対応する図形要素Ｄ４２，Ｄ４３と、第２データＤ３１に対応する図形要素Ｄ４１とを含む。修正対象領域を規定する第１データＤ２１は、いわゆるマスクとして使用されるため、最終結果物である合成イメージデータＤ４上には出現しない。
【００３４】
合成イメージ管理部１３は、合成イメージデータＤ４をディスプレイ４Ａまたはプリンタ４Ｂといったユーザインターフェース装置へ出力することができる。ユーザは、ディスプレイ４Ａやプリンタ４Ｂを通じて、合成イメージデータＤ４の内容を確認できる。
【００３５】
連携部１４は、文書作成装置のような他システム５からの要求に応じて、ＣＡＤシステム２を利用して作成された第２データＤ３１を他システム５へ送る機能である。
【００３６】
図２は、イメージデータ編集システム１のハードウェア構成の例である。イメージデータ編集システム１は、例えば、マイクロプロセッサ（図中、ＣＰＵ）１１０、メモリ１２０、ストレージ１３０、ユーザインターフェース部１４０、通信インターフェース部１５０、入出力部（図中、Ｉ／Ｏ）がバス１７０で接続された計算機として構成することができる。
【００３７】
ストレージ１３０は、例えば、フラッシュメモリデバイスまたはハードディスク装置等から構成されており、所定のコンピュータプログラム１３１と所定のデータ１３２とを記憶している。
【００３８】
マイクロプロセッサ１１０は、所定のコンピュータプログラム１３１をメモリ１２０に読み込んで実行する。これにより、図１で述べたイメージデータ編集システム１の各機能１１，１２，１３，１４が実現される。所定のデータ１３２は、データ管理部１５〜１７を実現するデータベースを含む。
【００３９】
ユーザインターフェース部１４０は、ディスプレイ４Ａおよびプリンタ４Ｂへデータを送るためのインターフェースである。通信インターフェース部１５０は、例えば、ＣＡＤシステム２や他システム５、図外のサーバ等と通信ネットワークを介して通信するためのインターフェースである。入出力部１６０は、例えば、フラッシュメモリ等の記憶媒体７とデータを入出力する。所定のコンピュータプログラム１３１は、記憶媒体７からストレージ１３０にインストールされてもよい。あるいは、所定のコンピュータプログラム１３１は、図外のサーバから通信ネットワークおよび通信インターフェース部１５０を介して、ストレージ１３０へインストールされてもよい。
【００４０】
図３は、合成イメージ管理部１３による合成処理の説明図である。ラスタデータＤ１は、属性情報Ｄ１００を有する。属性情報Ｄ１００は、例えば、ファーマット形式、解像度、色彩、階調、作成日時等を含む。第１ベクトルデータＤ２は属性情報Ｄ２００を、第２ベクトルデータＤ３は属性情報Ｄ３００を、それぞれ含む。属性情報Ｄ２００，Ｄ３００には、例えばシンボルの意味、作成者、作成日時等である。
【００４１】
ラスタデータ層のラスタデータＤ１と、第１ベクトルデータＤ２と、第２ベクトルデータＤ３とを重ね合わせることにより、合成イメージデータＤ４がラスタデータとして生成される。合成イメージデータＤ４も属性情報Ｄ４００を有する。
【００４２】
図４は、イメージデータ編集処理を示すフローチャートである。本実施形態のイメージデータ編集システム１は、ＣＡＤシステム２と連携して動作するようになっており、ユーザは最初にＣＡＤシステム２を起動させる（Ｓ１１）。イメージデータ編集システム１からＣＡＤシステム２を自動的に呼び出して起動させてもよい。
【００４３】
ラスタデータ取得部１１は、紙図面をスキャンすることにより生成されたラスタデータＤ１をスキャナシステム３から取得する（Ｓ１２）。
【００４４】
ユーザは、編集処理部１２を使用することにより、ラスタデータＤ１のうち修正を希望する領域を指定する（Ｓ１３）。ユーザの指定した修正対象領域は、第１データＤ２としてイメージデータ編集システム１内に記憶される。
【００４５】
続いて、ユーザは、編集処理部１２を用いることにより、修正対象領域内で新たな図形要素Ｄ３１を編集する（Ｓ１４）。編集とは、新たな図形要素の追加、図形要素の全部または一部の削除あるいは変更等である。
【００４６】
イメージデータ編集システム１は、ユーザの編集操作（修正操作）が終了したか監視している（Ｓ１５）。例えばユーザが、編集処理部１２の提供する編集画面内の合成開始ボタン（不図示）を操作すると、合成イメージ管理部１３は、編集操作が終了したものと判定し、合成処理を実行する（Ｓ１６）。これにより、ラスタデータＤ１のうちの一部がベクトルデータで作成された第２データＤ３１に置き換わったかのように、合成イメージデータＤ４が生成される。
【００４７】
合成イメージ管理部１３は、生成された合成イメージデータＤ４と、合成イメージデータＤ４の生成に使用された素材データ（ラスタデータＤ１，第２ベクトルデータＤ２，第３ベクトルデータＤ３）を、データ管理部１５〜１７へ記憶させる（Ｓ１７）。
【００４８】
合成イメージ管理部１３は、ユーザからの指示に応じて、合成イメージデータＤ４をディスプレイ４Ａまたはプリンタ４Ｂへ出力させる（Ｓ１８）。合成イメージ管理部１３は、ユーザの指示に応じて、合成イメージデータＤ４の素材となったラスタデータＤ１およびベクトルデータＤ３のいずれかまたは両方を、ディスプレイ４Ａまたはプリンタ４Ｂへ出力させることもできる（Ｓ１８）。
【００４９】
図５は、連携部１４による処理を示すフローチャートである。連携部１４は、他システム５から出力要求を受領すると（Ｓ２１：ＹＥＳ）、要求されたベクトルデータＤ３を第２ベクトルデータ管理部１７から検索して読み出す（Ｓ２２）。連携部１４は、読み出した第２ベクトルデータＤ３を他システム５へ送信する（Ｓ２３）。
【００５０】
このように構成される本実施例によれば、ラスタデータＤ１のうち修正を希望する箇所についてのみ、別の層においてベクトルデータＤ３として作成することができ、ラスタデータＤ１とベクトルデータＤ２，Ｄ３とを重ねて合成することにより、あたかもラスタデータＤ１を修正したかのようにして、ユーザへ提供することができる。この結果、本実施例では、ラスタデータを必要な範囲で効率的に修正することができ、紙図面を有効に再利用することができる。
【００５１】
本実施例では、ＣＡＤシステム２と連携する編集処理部１２を用いるため、ユーザは、普段使い慣れたＣＡＤシステム２を用いて、ラスタデータＤ１を部分的に修正することができ、作業性が改善する。
【００５２】
本実施例では、編集対象の図形要素をＣＡＤシステム２を利用したベクトルデータとして作成するため、ユーザは、新たに作成されたベクトルデータとしての図形要素（データＤ３１）を他の図面作成に役立てることができ、使い勝手が向上する。
【００５３】
本実施例では、新たな図形要素のベクトルデータＤ３１を他システム５へ提供することができるため、例えば、取扱説明書、仕様書、技術概要書等の各種文書にベクトルデータＤ３１を表示させることもでき、文書作成の効率が向上する。
【実施例２】
【００５４】
図６，図７を用いて第２実施例を説明する。本実施例を含む以下の各実施例は、上述した第１実施例の変形例に相当するため、第１実施例との相違を中心に述べる。本実施例では、合成イメージデータＤ４を作成する際に、事前承認を得るようになっている。
【００５５】
図６は、本実施例に係るイメージデータ編集システム１Ａの全体構成図である。イメージデータ編集システム１Ａは、確認部１８を備えている。
【００５６】
確認部１８は、合成イメージ管理部１３と外部のコンピュータ端末（図中、ＰＣ）８とに接続されている。確認部１８は、合成イメージ管理部１３によって合成イメージデータＤ４が生成されると、その合成イメージデータＤ４を通信インターフェース部１５０を介してコンピュータ端末８へ送信する。
【００５７】
例えば、ユーザの上司、あるいは合成イメージデータＤ４に係る制御プラントを発注した顧客等の上位者は、コンピュータ端末８の画面に表示された合成イメージデータＤ４を確認し、承認または拒否する。その承認結果は、確認部１８を介して合成イメージ管理部１３へ伝達される。上位者が承認を拒否する場合、拒否の理由を伝達してもよい。
【００５８】
図７は、イメージデータ編集処理のフローチャートである。本処理は、図４で述べたステップＳ１１〜Ｓ１８を全て含んでおり、さらに新たなステップＳ２１とＳ２２が追加されている。
【００５９】
すなわち、合成イメージ管理部１３により合成イメージデータＤ４が生成されると、確認部１８は、コンピュータ端末８へ合成イメージデータＤ４を送信し、承認を求める確認要求処理を実行する（Ｓ２１）。
【００６０】
確認部１８は、コンピュータ端末８からの通知を受領すると、合成イメージデータＤ４が上位者により承認されたか否か判定する（Ｓ２２）。承認された場合（Ｓ２２：ＹＥＳ）、合成イメージデータＤ４とその素材となった各データＤ１，Ｄ２，Ｄ３はデータ管理部１５，１６，１７へ保存され（Ｓ１７）、ディスプレイ４Ａまたはプリンタ４Ｂへ出力される（Ｓ１８）。
【００６１】
確認部１８が上位者からの承認が得られなかった場合（Ｓ２２：ＮＯ）、ステップＳ１３に戻り、編集作業が行われる。
【００６２】
このように構成される本実施例も第１実施例と同様の作用効果を奏する。さらに本実施例では、合成イメージデータＤ４を正式なデータとして残す前に、上位者の承認を得るようになっているため、使い勝手が向上する。
【実施例３】
【００６３】
図８を用いて第３実施例を説明する。本実施例では、ラスタデータＤ１のうちベクトルデータが作成された割合を算出する。
【００６４】
図８は、本実施例によるイメージデータ編集処理のフローチャートである。本処理は、図４で述べたステップＳ１１〜Ｓ１８を全て含んでおり、さらに新たなステップＳ３が追加されている。
【００６５】
合成イメージ管理部は、合成イメージデータＤ４を生成すると（Ｓ１６）、合成イメージデータＤ４の基となったラスタデータＤ１のうち、どの程度がベクトルデータＤ３として作成されたかを示す置換率を算出する（Ｓ３１）。
【００６６】
置換率は、合成イメージデータＤ４および各データＤ１，Ｄ２，Ｄ３と共に、保存される（Ｓ１７）。置換率を、合成イメージデータＤ４と共にディスプレイ４Ａまたはプリンタ４Ｂへ出力することもできる（Ｓ１８）。
【００６７】
置換率は、例えば、ラスタデータＤ１の領域のうち、対応する第２データＤ３１が作成された領域の割合として算出してもよい。あるいは、置換率は、ラスタデータＤ１に含まれている図形要素のうち、ベクトルデータとして書き直された図形要素の占める割合として算出してもよい。
【００６８】
このように構成される本実施例も第１実施例と同様の作用効果を奏する。さらに本実施例では、ラスタデータをベクトルデータに置き換えた割合を算出することができるため、紙図面の活用の進展度を客観的に評価することができるので、紙からＣＡＤ化への変換向上に有効である。また、置換率の割合でラスタからＣＡＤ化（再描画（トレース））に切り替えたほうが良いかどうかの判断もでき有効である。本実施例は、第１実施例または第２実施例のいずれとも結合させることができる。
【００６９】
なお、本発明は、上述した実施形態に限定されない。当業者であれば、本発明の範囲内で、種々の追加や変更等を行うことができる。上述の実施形態において、添付図面に図示した構成例に限定されない。本発明の目的を達成する範囲内で、実施形態の構成や処理方法は適宜変更することが可能である。
【００７０】
また、本発明の各構成要素は、任意に取捨選択することができ、取捨選択した構成を具備する発明も本発明に含まれる。さらに特許請求の範囲に記載された構成は、特許請求の範囲で明示している組合せ以外にも組み合わせることができる。
【符号の説明】
【００７１】
１，１Ａ：イメージデータ編集システム、２：ＣＡＤシステム、３：スキャナシステム、４Ａ：ディスプレイ、４Ｂ：プリンタ、５：他システム、６：紙書類、７：記憶媒体、８：コンピュータ端末、１１：ラスタデータ取得部、１２：編集処理部、１３：合成イメージ管理部、１４：連携部、１５：ラスタデータ管理部、１６：第１ベクトルデータ管理部、１７：第２ベクトルデータ管理部、１８：確認部
【図１】
2020016999.tif 000003
【図２】
2020016999.tif 000004
【図３】
2020016999.tif 000005
【図４】
2020016999.tif 000006
【図５】
2020016999.tif 000007
【図６】
2020016999.tif 000008
【図７】
2020016999.tif 000009
【図８】
2020016999.tif 000010